(57)【特許請求の範囲】
【請求項１】
遊技状態に応じて駆動する駆動装置を備えた遊技機において、
前記駆動装置は、ベース部材と、前記ベース部材上の第一の位置と第二の位置の間を移動することで前記表示部の前面側を移動可能な移動物と、前記移動物を駆動するための駆動手段と、を備え、
前記移動物は、移動部本体と、前記移動部本体に対して第一の状態と第二の状態に変位可能に取り付けられた装飾用の装飾部材と、を備え、
前記装飾部材は、装飾部本体と、前記装飾部本体に対して第三の状態と第四の状態に変位可能に取り付けられた副装飾体と、を備え、
前記副装飾体は、付勢力を有する付勢部材と、前記付勢部材に連結された連結部材と、によって前記第三の状態となる方向に付勢され、
前記ベース部材には、前記移動物が前記第一の位置から前記第二の位置へ移動するのに伴って前記連結部材に接触する接触部が形成され、
前記移動物が前記第一の位置から前記第二の位置に移動する際に前記連結部材が前記接触部に接触する接触位置に位置することで前記付勢部材の付勢に抗して前記副装飾体が前記第三の状態から前記第四の状態に変位し、
前記移動物が前記接触位置から前記第二の位置に移動することで、前記連結部材が前記接触部を摺動すると共に前記付勢部材の付勢に抗する力を強めて変位し、前記副装飾体を前記第四の状態に維持したまま前記装飾部材を前記第一の状態から前記第二の状態に変位させることを特徴とする遊技機。
【請求項２】
前記連結部材が前記接触部に接触する接触位置に位置した状態において前記連結部材の移動方向を規制する規制部が前記装飾部材に設けられ、前記規制部に前記連結部材が接触した状態で、前記連結部材に対して前記第一の位置から前記第二の位置へ向けた第一の移動方向に力が加わることで、前記規制部あるいは前記連結部材の一方が他方に対して前記第一の方向と異なる第二の方向に摺動することにより前記第一の移動方向への力を逃がしながら前記装飾部材を前記第二の移動方向に移動させて前記第二の状態に変位させることを特徴とする請求項１に記載の遊技機。
【請求項３】
前記副装飾体あるいは前記連結部材の一方に突出部を形成し、他方に前記突出部が挿入可能な開口部を形成し、前記開口部に前記突出部が挿入された状態とすることで前記副装飾体と前記連結部材が連結するように構成されていることを特徴とする請求項１または請求項２に記載の遊技機。
【請求項４】
前記移動物が前記接触位置から前記第二の位置に移動する際に、前記副装飾体に設けられた前記突出部あるいは前記開口部の一方が前記規制部となることで、前記連結部材に対して前記第一の位置から前記第二の位置へ向けた前記第一の移動方向に力が加わっても前記規制部が前記連結部材に設けられた前記突出部あるいは前記開口部の他方に対して前記第一の移動方向と異なる第二の移動方向に摺動することより前記第一の移動方向への力を逃がしながら前記装飾部材を前記第二の状態に変位させることを特徴とする請求項３に記載の遊技機。
【請求項５】
前記装飾部本体に、前記副装飾体が前記第四の状態になってから前記移動物が前記第二の位置に向けて移動することで前記連結部材がさらに変位しても前記第四の状態からの変位を維持する維持部が設けられていることを特徴とする請求項１から請求項４のいずれか一項に記載の遊技機。
【請求項６】
前記規制部は、前記維持部によって前記第四の状態を維持している前記副装飾体の一部によって構成されることを特徴とする請求項５に記載の遊技機。
【請求項７】
表示部が設けられた表示装置を備え、
前記移動物は前記表示部の表示面に対して平行に移動するように構成される一方、前記装飾部材の前記第一の状態と前記第二の状態の変位方向は前記表示面に対して直角方向であることを特徴とする請求項１から請求項６のいずれか一項に記載の遊技機。
【請求項８】
前記装飾部材は前記移動部本体に回動可能に軸支されると共に前記副装飾体は前記装飾部本体に回動可能に軸支され、
前記装飾部材は、前記副装飾体と前記連結部材が連結することで前記第一の状態となるように前記付勢部材の付勢の作用が掛かるように構成されていることを特徴とする請求項１から請求項７のいずれか一項に記載の遊技機。
【発明の詳細な説明】
【技術分野】
【０００１】
本発明は、所定の動作を行う演出用の部材を備えたパチンコ遊技機などの遊技機に関する。
【背景技術】
【０００２】
一般的な遊技機では、遊技の演出として、複数の発光体の色変化による演出、音声による演出、駆動装置の駆動による演出などを遊技状態に応じて行っている。このうち、駆動装置の駆動による演出としては、例えば一つの駆動源の作動に基づいて移動物（役物）を第一位置から第二位置に移動させるものが提案されている（例えば下記特許文献１参照）。
【先行技術文献】
【特許文献】
【０００３】
【特許文献１】特開２００７−２０２６３９号公報
【発明の概要】
【発明が解決しようとする課題】
【０００４】
しかし、このように移動物を第一位置から第二位置に移動させるだけの単純な演出であると、趣向性に乏しいという問題がある。これに対し、移動物の動きに変化をもたせようとすれば、駆動源と移動物を繋ぐ複数の連結部材を用いたりするなどしなければならず、装置構造が複雑になってしまう。
【０００５】
そこで、本発明は、簡易な構造で移動物の複数の動きを可能にする遊技機を提供することを目的とする。
【課題を解決するための手段】
【０００６】
上記課題を解決するためになされた請求項１の発明にかかる遊技機は、遊技状態に応じて駆動する駆動装置を備えた遊技機であって、前記駆動装置は、ベース部材と、前記ベース部材上の第一の位置と第二の位置の間を移動することで前記表示部の前面側を移動可能な移動物と、前記移動物を駆動するための駆動手段と、を備え、前記移動物は、移動部本体と、前記移動部本体に対して第一の状態と第二の状態に変位可能に取り付けられた装飾用の装飾部材と、を備え、前記装飾部材は、装飾部本体と、前記装飾部本体に対して第三の状態と第四の状態に変位可能に取り付けられた副装飾体と、を備え、前記副装飾体は、付勢力を有する付勢部材と、前記付勢部材に連結された連結部材と、によって前記第三の状態となる方向に付勢され、前記ベース部材には、前記移動物が前記第一の位置から前記第二の位置へ移動するのに伴って前記連結部材に接触する接触部が形成され、前記移動物が前記第一の位置から前記第二の位置に移動する際に前記連結部材が前記接触部に接触する接触位置に位置することで前記付勢部材の付勢に抗して前記副装飾体が前記第三の状態から前記第四の状態に変位し、前記移動物が前記接触位置から前記第二の位置に移動することで、前記連結部材が前記接触部を摺動すると共に前記付勢部材の付勢に抗する力を強めて変位し、前記副装飾体を前記第四の状態に維持したまま前記装飾部材を前記第一の状態から前記第二の状態に変位させるところに特徴を有する。
【０００７】
請求項２に記載の発明は、請求項１に記載の遊技機において、前記連結部材が前記接触部に接触する接触位置に位置した状態において前記連結部材の移動方向を規制する規制部が前記装飾部材に設けられ、前記規制部に前記連結部材が接触した状態で、前記連結部材に対して前記第一の位置から前記第二の位置へ向けた第一の移動方向に力が加わることで、前記規制部あるいは前記連結部材の一方が他方に対して前記第一の方向と異なる第二の方向に摺動することにより前記第一の移動方向への力を逃がしながら前記装飾部材を前記第二の移動方向に移動させて前記第二の状態に変位させるところに特徴を有する。
【０００８】
請求項３に記載の発明は、請求項１または請求項２に記載の遊技機において、前記副装飾体あるいは前記連結部材の一方に突出部を形成し、他方に前記突出部が挿入可能な開口部を形成し、前記開口部に前記突出部が挿入された状態とすることで前記副装飾体と前記連結部材が連結するように構成されているところに特徴を有する。
【０００９】
請求項４に記載の発明は、請求項３に記載の遊技機において、前記移動物が前記接触位置から前記第二の位置に移動する際に、前記副装飾体に設けられた前記突出部あるいは前記開口部の一方が前記規制部となることで、前記連結部材に対して前記第一の位置から前記第二の位置へ向けた前記第一の移動方向に力が加わっても前記規制部が前記連結部材に設けられた前記突出部あるいは前記開口部の他方に対して前記第一の移動方向と異なる第二の移動方向に摺動することより前記第一の移動方向への力を逃がしながら前記装飾部材を前記第二の状態に変位させるところに特徴を有する。
【００１０】
請求項５に記載の発明は、請求項１から請求項４のいずれか一項に記載の遊技機において、前記装飾部本体に、前記副装飾体が前記第四の状態になってから前記移動物が前記第二の位置に向けて移動することで前記連結部材がさらに変位しても前記第四の状態からの変位を維持する維持部が設けられているところに特徴を有する。
【００１１】
請求項６に記載の発明は、請求項５に記載の遊技機において、前記規制部は、前記維持部によって前記第四の状態を維持している前記副装飾体の一部によって構成されるところに特徴を有する。
【００１２】
請求項７に記載の発明は、請求項１から請求項６のいずれか一項に記載の遊技機において、表示部が設けられた表示装置を備え、前記移動物は前記表示部の表示面に対して平行に移動するように構成される一方、前記装飾部材の前記第一の状態と前記第二の状態の変位方向は前記表示面に対して直角方向であるところに特徴を有する。
【００１３】
請求項８に記載の発明は、請求項１から請求項７のいずれか一項に記載の遊技機において、前記装飾部材は前記移動部本体に回動可能に軸支されると共に前記副装飾体は前記装飾部本体に回動可能に軸支され、前記装飾部材は、前記副装飾体と前記連結部材が連結することで前記第一の状態となるように前記付勢部材の付勢の作用が掛かるように構成されているところに特徴を有する。
【発明の効果】
【００１４】
請求項１の発明によれば、移動物が第一の位置から第二の位置に移動する際に、連結部材が接触部に接触することで付勢部材の付勢力に抗して副装飾体が第三の状態から第四の状態に変位する。そして、この副装飾体が第四の状態にあるところから移動物がさらに第二の位置に向けて移動することで、装飾部材が第一の状態から第二の状態に変位する。このように、簡易な構造で移動物の複数の動きが可能となり、新たな演出効果が発現される。
【００１５】
請求項２の発明のように、連結部材に対して第一の位置から第二の位置へ向けた第一の移動方向に力を加え、規制部あるいは連結部材の一方を他方に対して第一の方向と異なる第二の方向に摺動させ、第一の移動方向への力を逃がしながら装飾部材を第二の移動方向に移動させて第二の状態に変位させることによって、複数の動きを行う移動物を効率よく駆動させることが可能となる。
【００１６】
請求項３に記載の発明のように、副装飾体あるいは連結部材の一方に突出部を形成し、他方に突出部が挿入可能な開口部を形成し、開口部に突出部が挿入された状態とすることで副装飾体と連結部材が連結するように構成されていれば、副装飾体（装飾部材）と連結部材を確実に連動させることが可能となる。
【００１７】
請求項４に記載の発明のように、移動物が接触位置から第二の位置に移動する際に、副装飾体に設けられた突出部あるいは開口部の一方が規制部となることで、連結部材に対して第一の位置から第二の位置へ向けた第一の移動方向に力が加わっても規制部が連結部材に設けられた突出部あるいは開口部の他方に対して第一の移動方向と異なる第二の移動方向に摺動し、第一の移動方向への力を逃がしながら装飾部材を第二の状態に変位させる構成とすることにより、より簡易な構造で移動物を構成することが可能となる。
【００１８】
請求項５に記載の発明は、装飾部本体に、副装飾体が第四の状態になってから移動物が第二の位置に向けて移動することで連結部材がさらに変位しても第四の状態からの変位を維持する維持部が設けられているから、副装飾体を確実に第四の状態に維持することが可能となる。
【００１９】
請求項６に記載の発明によれば、規制部は、維持部によって第四の状態を維持している副装飾体の一部によって構成されるから、さらに簡易な構造で移動物を構成することができる。
【００２０】
請求項７の発明は、第一装飾体は、移動物は表示部の表示面に対して平行に移動するように構成される一方、装飾部材の第一の状態と第二の状態の変位方向は表示面に対して直角方向である。つまり、移動物の駆動方向と異なる方向に装飾部材が駆動するので、単純な駆動（演出）にならないようにすること（優れた演出効果を発現する駆動装置とすること）ができる。
【００２１】
請求項８に記載の発明は、装飾部材は移動部本体に回動可能に軸支されると共に、副装飾体は装飾部本体に回動可能に軸支され、装飾部材は副装飾体と連結部材が連結することで第一の状態となるように付勢部材の付勢の作用が掛かるように構成されているため、少ない部材で複数の部材の付勢を行うことが可能であり、より簡易な構造で駆動装置を構成することが可能となる。
【図面の簡単な説明】
【００２２】
【図１】本発明の一実施形態にかかる遊技機の正面図である。
【図２】図１に示した遊技機が備える遊技盤の正面図であり、移動物が第二の位置に位置している状態を示したものである。
【図３】図１に示した遊技機の制御ブロック図である。
【図４】図１に示した遊技機が備える駆動装置の正面図であり、移動物が第一の位置に位置している状態（装飾部材は第一の状態にあり、副装飾体は第三の状態にある）を示したものである。
【図５】図１に示した遊技機が備える駆動装置の背面図であり、移動物が第一の位置に位置している状態（装飾部材は第一の状態にあり、副装飾体は第三の状態にある）を示したものである。
【図６】図１に示した遊技機が備える駆動装置の正面図であり、移動物が第一の位置と接触位置との間に位置している状態（装飾部材は第一の状態にあり、副装飾体は第三の状態にある）を示したものである。
【図７】図１に示した遊技機が備える駆動装置の背面図であり、移動物が第一の位置と接触位置との間に位置している状態（装飾部材は第一の状態にあり、副装飾体は第三の状態にある）を示したものである。
【図８】図１に示した遊技機が備える駆動装置の正面図であり、移動物の連結部材が接触部に接触した瞬間（装飾部材は第一の状態にあり、副装飾体は第三の状態にある）を示したものである。
【図９】図１に示した遊技機が備える駆動装置の背面図であり、移動物の連結部材が接触部に接触した瞬間（装飾部材は第一の状態にあり、副装飾体は第三の状態にある）を示したものである。
【図１０】図１に示した遊技機が備える駆動装置の正面図であり、移動物が接触位置に位置している状態（装飾部材は第一の状態にあり、副装飾体は第四の状態にある）を示したものである。
【図１１】図１に示した遊技機が備える駆動装置の背面図であり、移動物が接触位置に位置している状態（装飾部材は第一の状態にあり、副装飾体は第四の状態にある）を示したものである。
【図１２】図１に示した遊技機が備える駆動装置の正面図であり、移動物が第二の位置に位置している状態（装飾部材は第二の状態にあり、副装飾体は第四の状態にある）を示したものである。
【図１３】図１に示した遊技機が備える駆動装置の背面図であり、移動物が第二の位置に位置している状態（装飾部材は第二の状態にあり、副装飾体は第四の状態にある）を示したものである。
【図１４】図１に示した遊技機が備える駆動装置を背面から見た外観斜視図であり、移動物の連結部材が接触部に接触した瞬間（装飾部材は第一の状態にあり、副装飾体は第三の状態にある）を示したものである。
【図１５】図１に示した遊技機が備える駆動装置を背面から見た外観斜視図であり、移動物が接触位置に位置している状態（装飾部材は第一の状態にあり、副装飾体は第四の状態にある）を示したものである。
【図１６】図１に示した遊技機が備える駆動装置を背面から見た外観斜視図であり、移動物が第二の位置に位置している状態（装飾部材は第二の状態にあり、副装飾体は第四の状態にある）を示したものである。
【図１７】図１に示した遊技機が備える駆動装置の側面図であり、図１７（ａ）は移動物が接触位置に位置している状態（装飾部材は第一の状態にあり、副装飾体は第四の状態にある）を示したものであり、図１７（ｂ）は移動物が第二の位置に位置している状態（装飾部材は第二の状態にあり、副装飾体は第四の状態にある）を示したものである。
【図１８】図１に示した遊技機が備える駆動装置から装飾部本体および「龍」の首の部分を取り外したものの外観斜視図であり、移動物が接触位置に位置している状態（装飾部材は第一の状態にあり、副装飾体は第四の状態にある）を示したものである。
【図１９】図１に示した遊技機が備える駆動装置から装飾部本体および「龍」の首の部分を取り外したものの外観斜視図であり、移動物が第二の位置に位置している状態（装飾部材は第二の状態にあり、副装飾体は第四の状態にある）を示したものである。
【図２０】図１に示した遊技機が備える駆動装置から装飾部本体および「龍」の首の部分を取り外したものの外観斜視図（図１８および図１９とは異なる方向から見た外観斜視図）であり、図２０（ａ）は移動物が接触位置に位置している状態（装飾部材は第一の状態にあり、副装飾体は第四の状態にある）を示したものであり、図２０（ｂ）は移動物が第二の位置に位置している状態（装飾部材は第二の状態にあり、副装飾体は第四の状態にある）を示したものである。
【図２１】図１に示した遊技機が備える駆動装置の一部（開口部およびそれに挿通された突出部）を拡大して示した図であり、図２１（ａ）は装飾部材が第一の状態にあり、副装飾体が第三の状態にあるときを示したものであり、図２１（ｂ）は装飾部材が第一の状態にあり、副装飾体が第四の状態にあるときを示したものであり、図２１（ｃ）は装飾部材が第二の状態にあり、副装飾体が第四の状態にあるときを示したものである。
【発明を実施するための形態】
【００２３】
以下、本発明にかかる実施形態について図面を参照して詳細に説明する。なお、以下の説明において特に明示した場合を除き、単に前側（前方）とは遊技機１の正面側のことであり、単に後側（後方）とは遊技機１の背面側のことである。また、単に左側、右側、上側、下側とは遊技機１を正面から見た場合の左側、右側、上側、下側のことである。また、単に幅方向とは遊技機１の幅方向のことであり、単に平面方向とは遊技盤９０の平面方向を指す。
【００２４】
本実施形態にかかる遊技機１は、映像を表示する表示部２１が設けられた表示装置２（遊技の演出を行う演出部が設けられた演出装置）と、この表示装置２の表示部２１の周囲に設けられた駆動装置３と、を備える。
【００２５】
（遊技機の全体構成）
まず、遊技機１の全体構成について簡単に説明する。図１に示されるように、遊技機１は、所定の奥行きを有する額縁形状の機枠８０を備える。この機枠８０には前面枠８１が取り付けられている。前面枠８１は、その左側縁が機枠８０に回動可能に支持され、前側に開閉可能である。また、前面枠８１には、ガラス枠８２が取り付けられている。ガラス枠８２は、その左側縁が前面枠８１に回動可能に支持され、前側に開閉可能である。
【００２６】
ガラス枠８２の中央の開口部にはガラス板またはプラスチック板等の透明な板が設けられており、遊技者はこの透明な板を通して前側から遊技盤９０を視認できる。また、ガラス枠８２の下部には、払い出された遊技球を発射装置に送るまで貯めておく上皿ユニット８３が設けられている。上皿ユニット８３には、貯留されている遊技球を下皿ユニット８５に流下させる上皿スイッチや、貸し出し可能な貸し球を払い出す球貸しスイッチ等が設けられている。また、ガラス枠８２の上部左右両側には、スピーカ８４が設けられている。
【００２７】
前面枠８１の下部には、払い出された遊技球が上皿ユニット８３に入りきらない場合等に遊技球を貯めることができる下皿ユニット８５や、遊技球を発射操作するためのタッチスイッチを備える発射ハンドル８６等が設けられている。下皿ユニット８５の左側には、表示装置２に表示される演出に応じて遊技者が操作を行う遊技スイッチ８７が設けられている。
【００２８】
図２に示す遊技盤９０は、ほぼ正方形の合板により成形されており、前面枠８１に着脱可能に取り付けられている。この遊技盤９０には、発射装置から発射された遊技球をガイドする金属製の薄板からなる帯状のガイドレール１１が略円弧形状となるように設けられており、このガイドレール１１によって遊技領域の外郭の一部が形成されている。遊技盤９０の遊技領域には、表示装置２、始動入賞口９３１、大入賞口９３２、アウト口９３３などが設けられている。
【００２９】
また、遊技盤９０の遊技領域には、流下する遊技球が衝突することにより遊技球の流下態様に変化を与える障害物としての図示しない遊技釘が複数設けられている。遊技領域を流下する遊技球は、遊技釘に衝突したときの条件に応じて様々な態様に変化する。
【００３０】
さらに、表示装置２の周囲（本実施形態では表示装置２の左下）には、遊技の装飾効果（演出効果）を高めるための駆動装置３が設けられている。駆動装置３は、表示装置２と連動して演出動作を行う。かかる駆動装置３の構成の詳細については後述する。
【００３１】
遊技機１の背面側には、大当たりの抽選等を行う主制御基板（回路）９５、演出の制御等を行うサブ制御基板（回路）９５１、表示装置２の制御等を行う表示制御基板（回路）９５２、賞球数の払出の制御等を行う払出制御基板（回路）９５３、モータやソレノイドなどのアクチュエータと接続するための中継回路９５４、発射ハンドル８６（発射装置）を制御する発射制御回路９５５等の各種基板（回路）が設けられている（図３参照）。詳細を後述する駆動装置３（駆動装置３の駆動源（モータ））は、サブ制御基板（回路）９５１の駆動制御回路９５１ａによって制御される。また、この駆動装置３の演出に合わせて、表示制御基板（回路）９５２によって表示装置２（表示部２１に表示される映像）が制御される。
【００３２】
このような遊技機１では、発射ハンドル８６の操作により、発射装置から遊技領域に遊技球を発射し、遊技領域を流下する遊技球が、始動入賞口９３１や大入賞口９３２等の入賞口に入賞すると、払出制御基板（回路）９５３により所定の数の賞球が払出装置（図示せず）により払い出される。その他、主制御基板（回路）９５による大当たりの抽選方法等は、公知の遊技機の制御方法が適用できるため、説明は省略する。
【００３３】
（遊技機が備える各構成の詳細）
（１）表示装置の構成
表示装置２は、例えば液晶表示装置が用いられ、表示制御基板（回路）９５２によって表示部２１（表示画面）に所定の映像が表示されるように制御される。かかる表示装置２の表示部２１には、いわゆる大当たり（大入賞口９３２に入りやすい状態）となったことを表示する特別図柄や、いわゆる小当たり（始動入賞口９３１に入りやすい状態）となったことを表示する普通図柄等が表示されるとともに、遊技者の興趣を引きつけるような（大当たりが近いことを暗示するような）映像が表示される。表示装置２の表示部２１は、遊技盤９０に形成された開口９０１を通じて視認可能である。
【００３４】
（２）駆動装置の構成
図４から図２１にその詳細を示す駆動装置３は、ベース部材４と、このベース部材４に誘導されて移動する移動物５と、この移動物５を駆動する駆動手段６と、を備える。以下、各構成について詳細に説明する。
【００３５】
（２−１）ベース部材
ベース部材４は、遊技盤９０の背面側（正面から見て遊技盤９０の開口９０１の左下位置）に取り付けられた略板状の部材である。したがって、遊技者はベース部材４を視認することはできない。このベース部材４には、大まかに見て幅方向に延びる長孔である第一の誘導部４１および第二の誘導部４２が形成されている。
【００３６】
第一の誘導部４１は、ベース部材４の左側中央から右側上方に向かって延びる長孔であり、第二の誘導部４２よりも上方に位置する。この第一の誘導部４１には、移動物５に設けられた後述する第一の被誘導部５１１が係合される。第一の誘導部４１は、この第一の被誘導部５１１を誘導（案内）するガイド孔である。第一の誘導部４１は、相対的に傾斜が緩く孔の長さが長い緩傾部４１１、および相対的に傾斜が急であり孔の長さが短い急傾部４１２を有する。緩傾部４１１は、ベース部材４の左側中央から右側上方に向かって直線状に延びる部分である。急傾部４１２は、緩傾部４１１の右端からさらに右側上方に向かって直線状に延びる部分である。
【００３７】
第二の誘導部４２は、ベース部材４の左側下方から右側上方に向かって延びる長孔であり、第一の誘導部４１よりも下方に位置する。この第二の誘導部４２には、移動物５に設けられた後述する第二の被誘導部５１２が係合される。第二の誘導部４２は、この第二の被誘導部５１２を誘導（案内）するガイド孔である。第二の誘導部４２は、垂直方向に近い角度で傾斜した急斜部４２１、略平坦な平坦部４２２、および急斜部４２１に比べて傾斜が緩い（水平方向に近い角度で傾斜した）緩斜部４２３を有する。本実施形態では、第二の誘導部４２は曲線状に構成され、この第二の誘導部４２の緩斜部４２３の傾斜角度は、第一の誘導部４１の緩傾部４１１の傾斜角度と略同じである。
【００３８】
また、ベース部材４の前面側右寄り中央位置には、前方に向かって突出した円柱状の突起である接触部４３が形成されている。この接触部４３は、移動物５が所定位置に位置する際に後述する連結部材５３が接触する。
【００３９】
（２−２）移動物
移動物５は、ベース部材４に取り付けられた役物であり、駆動手段６の駆動源によりベース部材４に誘導されて所定の動作（演出）を行う。具体的には、移動物５は、ベース部材４に誘導されて表示装置２の前面側である第一の位置と第二の位置との間を移動する。移動物５が「第一の位置」に位置している状態とは、移動物５に設けられた第一の被誘導部５１１および第二の被誘導部５１２がベース部材４の第一の誘導部４１および第二の誘導部４２の左端（始端）に位置している状態のことをいい、「第二の位置」の位置に位置している状態とは、移動物５に設けられた第一の被誘導部５１１および第二の被誘導部５１２がベース部材４の第一の誘導部４１および第二の誘導部４２の右端（終端）に位置している状態のことをいう。そして、この「第一の位置」から「第二の位置」に向かう移動物５（移動物５とともに移動する部材全てを含む）の移動方向を「第一の移動方向」という。
【００４０】
本実施形態では、第一の位置に位置する移動物５は遊技盤９０に覆われた状態（遊技者が殆ど視認することができない状態）であるが、第二の位置に位置する移動物５は遊技盤９０の開口９０１から露出するため遊技者に視認可能となる。この移動物５は、移動部本体５１と、装飾部本体５２１および副装飾体５２２を有する装飾部材５２と、を備える。
【００４１】
移動部本体５１は、第一の位置と第二の位置との間を移動する移動物５のベースとなる板状の部材であり、ベース部材４の前面側に取り付けられた部分である。移動部本体５１の背面側には、第一の被誘導部５１１および第二の被誘導部５１２が設けられている。第一の被誘導部５１１および第二の被誘導部５１２は、円柱状の突起であり、それぞれ、第一の誘導部４１および第二の誘導部４２に係合されている。つまり、第一の被誘導部５１１は第一の誘導部４１の形状に沿って、第二の被誘導部５１２は第二の誘導部４２の形状に沿って移動する（誘導される）。
【００４２】
第二の被誘導部５１２には、駆動源と移動物５（移動物本体）とを繋ぐ第一のリンク部材５１３および第二のリンク部材５１４が接続されている。具体的には、第一のリンク部材５１３は、その一端がベース部材４の右隅の背面側に回動可能に連結されている。第一のリンク部材５１３の他端には、第二のリンク部材５１４の一端が回動可能に連結されている。第二のリンク部材５１４の他端は、第二の誘導部４２に係合された第二の被誘導部５１２の先端（ベース部材４の背面側）に回動可能に連結されている。また、第一のリンク部材５１３の一端と他端の間には、貫通した長孔５１３ａが形成されている。この長孔５１３ａには、詳細を後述する回転部材５１５の偏心軸５１５ａが係合されている。
【００４３】
また、移動部本体５１の前面側には、付勢部材５４（コイルばね）の一端（下端）を支持する第一の付勢部材支持部５１６が形成されている。また、移動部本体５１の前面側には、連結部材５３が取り付けられている。具体的には、移動部本体５１の右隅（鋭角に形成された頂部近傍；５１ａで示した部分）において、連結部材５３が回動可能に連結されている。この移動部本体５１に対して回動可能である連結部材５３には、付勢部材５４の他端（上端）を支持する第二の付勢部材支持部５３１が形成されている。つまり、付勢部材５４は、移動部本体５１に形成された第一の付勢部材支持部５１６と、連結部材５３に形成された第二の付勢部材支持部５３１によって伸縮自在に支持されている。連結部材５３は、この付勢部材５４により、移動部本体５１に対して左回り（反時計回り）に回転する方向（後述する副装飾体５２２を第三の状態とする方向）に付勢されている。すなわち、付勢部材５４は、連結部材５３が移動部本体５１に対して右回り（時計回り）に回転すると伸び、連結部材５３を移動部本体５１に対して左回りに回転させようとする方向に付勢する。
【００４４】
さらに、移動部本体５１の上部には、装飾部材５２の一例として顔を構成する「龍」の首の部分５１７が固定されている。この「龍」の首の部分５１７と、移動部本体５１の間を通って連結部材５３は上方に伸びる。この連結部材５３の上方に伸びた部分の先端には、開口部５３２が形成されている。この開口部５３２を構成する部分（開口部５３２を囲む枠状の部分）が、後述する副装飾体５２２に設けられた突出部５２２１に作用する部材として機能する。
【００４５】
装飾部材５２は、移動物５の移動によって実際に遊技を演出する部分である。本実施形態では、「龍」の顔を象った部材を装飾部材５２として採用している。この装飾部材５２は、装飾部本体５２１および副装飾体５２２を有する。本実施形態では、装飾部本体５２１は、「龍」の顔のうち下顎を除く部分であり、副装飾体５２２は、「龍」の下顎部分である。なお、装飾部材５２を「龍」としたのは一例であり、装飾部本体５２１に相当する部分と副装飾体５２２に相当する部分とを有する構成であれば、求められる演出効果に応じて形態などは適宜変更可能である。
【００４６】
装飾部本体５２１の背面には、連繋部材５２１１が固定されている。この連繋部材５２１１には、貫通孔が形成されている。この貫通孔に移動部本体５１の上部に固定された支持軸５１８が挿通されている。つまり、装飾部本体５２１は、支持軸５１８を中心として回転可能に支持（支持軸５１８に軸支）されている。この支持軸５１８は、表示装置２の表示部２１の表示面方向と平行である。したがって、この移動部本体５１に設けられた支持軸５１８を中心軸として回転する装飾部本体５２１は、表示部２１の表示面に対して直角方向（前後方向）に回動する。この装飾部本体５２１の移動方向（回動方向）を「第二の移動方向」と称する。すなわち、装飾部本体５２１は、移動部本体５１を支持部材として、表示部２１の表示面に近づく方向および表示面から離れる方向に回動可能である。
【００４７】
装飾部本体５２１が、表示部２１の表示面から最も離れた状態は、装飾部本体５２１（の裏側）の少なくとも一部が「龍」の首の部分５１７（の表側）に接触あるいは接触しそうに接近している状態である。この位置に装飾部本体５２１が位置している状態を「第一の状態」と称する。後述するように、「第二の移動方向」に関しては装飾部本体５２１と副装飾体５２２が一体的に動作するから、装飾部本体５２１が「第一の状態」であれば、装飾部材５２全体が「第一の状態」であることとなる。この「第一の状態」から装飾部本体５２１（装飾部材５２）が表示部２１の表示面に近づく方向に回動する場合、装飾部本体５２１は、その連繋部材５２１１が、移動部本体５１に形成されたストッパ部５１ｂ（このストッパ部５１ｂの内側に支持軸５１８が固定されている）に接触する位置まで回動可能である。この装飾部本体５２１が表示部２１の表示面に最も近づいた状態を「第二の状態」と称する。「第二の移動方向」に関しては装飾部本体５２１と副装飾体５２２は一体的に動作するから、装飾部本体５２１が「第二の状態」であれば、装飾部材５２全体が「第二の状態」であることとなる。このように、「第二の移動方向」に移動可能に構成することで、装飾部材５２は、移動部本体５１に対して「第一の状態」と「第二の状態」との間を移動可能（変位可能）に取り付けられている。
【００４８】
また、装飾部材５２に固定された連繋部材５２１１には、前後方向（表示部２１の表示面に直交する方向）に伸びる軸状の突起５２１１ａが形成されており、この突起５２１１ａに副装飾体５２２が回動可能に支持されている。つまり、副装飾体５２２は、装飾部本体５２１に対して表示部２１の表示面方向に回動可能に取り付けられている。このように取り付けられた副装飾体５２２は、装飾部本体５２１に接触あるいは接触しそうに接近した「第三の状態」（「龍」の口が閉じた状態）から、板状部５２２２が装飾部本体５２１に固定された連繋部材５２１１に接触する「第四の状態」（「龍」の口が開いた状態）まで回動可能である。なお、この連繋部材５２１１における副装飾体５２２の板状部５２２２が接触する部分が、詳細を後述する維持部５２１１ｂとして機能する。
【００４９】
また、副装飾体５２２の背面側には、軸状の突出部５２２１が形成されている。具体的には、副装飾体５２２には、その背面に繋がる表示装置２の表示部２１の表示面に略平行な板状部５２２２が形成され、この板状部５２２２から前方に突出するように突出部５２２１が形成されている。この突出部５２２１は、連結部材５３に形成された開口部５３２（本実施形態では長孔である）に係合（挿通）されている。本実施形態では、突出部５２２１（突出部５２２１の外面）が、連結部材５３の移動方向を規制する（連結部材５３に形成された開口部５３２に作用する）規制部として機能する。したがって、逆に連結部材５３が動くことによって開口部５３２と規制部が連動し、それに連結された副装飾体５２２も動く。上述したように、連結部材５３は、付勢部材５４によって移動部本体５１に対して左回りに回転させようとする方向に付勢されている。連結部材５３が左回りに回転すると、開口部５３２の右側面に押されて副装飾体５２２は「第三の状態」となる方向に移動する。すなわち、付勢部材５４は、連結部材５３を介して副装飾体５２２を「第三の状態」となる方向に付勢している。
【００５０】
また、この突出部５２２１および開口部５３２の形状、大きさは、両者の間に遊びがある状態となるように（突出部５２２１が開口部５３２に遊挿されるように）設定されている。したがって、突出部５２２１は、その軸線方向に開口部５３２内を移動可能である。
【００５１】
（２−３）駆動手段
本実施形態では、移動物５を動作させる駆動手段６としてモータを採用している。このモータの出力軸には、回転部材５１５が固定されている。回転部材５１５には、その回転中心（モータの回転中心）から偏心した位置に偏心軸５１５ａが形成されている。この偏心軸５１５ａは、第一のリンク部材５１３に形成された長孔５１３ａに係合されている。偏心軸５１５ａの直径は、第一のリンク部材５１３に形成された長孔５１３ａの幅よりも小さい。つまり、偏心軸５１５ａは、長孔５１３ａの長手方向に移動可能である。モータは、サブ制御基板（回路）９５１に搭載された制御回路によって所定の動作を行うように制御される。
【００５２】
（３）駆動装置の動作
以上の構成を備える駆動装置３の動作（移動物５の動き）について説明する。移動部本体５１の第一の被誘導部５１１および第二の被誘導部５１２が、ベース部材４の第一の誘導部４１および第二の誘導部４２の最も左端（始端）に位置しているとき、移動物５は「第一の位置（原位置）」に位置する（図４および図５等参照）。なお、移動物５が「第一の位置」に位置することは、ベース部材４に設けられたセンサ４４（フォトセンサ）によって検出される。具体的には、移動物５が「第一の位置」に位置しているとき、センサ４４がその検出範囲内に入り込んだ第一のリンク部材５１３に設けられた突起である被検出部５１３ｂを検出する。この状態から駆動手段６であるモータを駆動させると、移動物５は「第一の移動方向」に次のように移動する。
【００５３】
モータの出力軸が回転すると、その出力軸に連結された回転部材５１５が回転する。回転部材５１５が回転すると、その回転中心軸を中心として回転部材５１５の偏心軸５１５ａが移動する（円運動する）。偏心軸５１５ａは、第一のリンク部材５１３の長孔５１３ａに係合されているから、偏心軸５１５ａが移動することにより、第一のリンク部材５１３はその一端を中心として回動する（偏心軸５１５ａが第一のリンク部材５１３を起立させる）。このように第一のリンク部材５１３が回動すると、偏心軸５１５ａが長孔５１３ａ内を移動し、その他端は上方（背面側から見て左上方）に移動する。第一のリンク部材５１３には、第二のリンク部材５１４の一端が回動可能に連結されているから、第一のリンク部材５１３とともに第二のリンク部材５１４が上方に移動する。具体的には、第二のリンク部材５１４の他端が上方に移動する。上述したように、この第二のリンク部材５１４の他端には、移動部本体５１に設けられるとともにベース部材４の第二の誘導部４２に摺動可能に係合された第二の被誘導部５１２が接続されている。つまり、移動部本体５１は、第二の被誘導部５１２が第二の誘導部４２に誘導（案内）される所定の経路を辿って移動する。また、この移動部本体５１には、第一の誘導部４１に摺動可能に係合された第一の被誘導部５１１が設けられている。したがって、移動部本体５１は、その第一の被誘導部５１１が第一の誘導部４１に摺動可能に係合した状態、および、第二の被誘導部５１２が第二の誘導部４２に摺動可能に係合した状態を保ちつつ、「第一の移動方向」に向かって移動する。
【００５４】
移動物５が「第一の位置」に位置している状態においては、第一の被誘導部５１１は第一の誘導部４１の緩傾部４１１に摺動可能に係合し、第二の被誘導部５１２は第二の誘導部４２の急斜部４２１に摺動可能に係合している。したがって、移動物５が「第一の位置」の位置から移動を開始すると、相対的に傾斜が緩い第一の誘導部４１の緩傾部４１１に摺動可能に係合している第一の被誘導部５１１の方が、相対的に傾斜が急な第二の誘導部４２の急斜部４２１に摺動可能に係合している第二の被誘導部５１２よりも先に右側に移動していく。したがって、この区間においては、移動部本体５１に接続された装飾部材５２が、段々と右側に倒れるように（「龍」の顔が段々と横向きになるように）移動物５が移動する。
【００５５】
「第一の位置」から移動物５が所定距離移動すると、第二の被誘導部５１２が第二の誘導部４２の平坦部４２２に摺動可能に係合した状態となる（図６および図７等参照）。第一の被誘導部５１１は、第一の誘導部４１の緩傾部４１１に係合したままである。この状態においては、相対的に傾斜が緩い（傾斜の無い）第二の誘導部４２の平坦部４２２に摺動可能に係合している第二の被誘導部５１２の方が、相対的に傾斜が急な第一の誘導部４１の緩傾部４１１に係合している第一の被誘導部５１１よりも先に右側に移動していく。したがって、この区間においては、移動部本体５１に接続された装飾部材５２が、段々と左側に起き上がるように（「龍」の顔が段々と起き上がるように）移動物５が移動する。
【００５６】
さらに移動物５が所定距離移動すると、第二の被誘導部５１２が第二の誘導部４２の緩斜部４２３に摺動可能に係合した状態となる。第一の被誘導部５１１は、第一の誘導部４１の緩傾部４１１に係合したままである。上述したように、第一の誘導部４１の緩傾部４１１と、第二の誘導部４２の緩斜部４２３の傾斜角度は略同一である。したがって、この区間においては、移動部本体５１に接続された装飾部材５２が、そのままの角度を保った状態で（「龍」の顔の角度を変化させずに）移動物５が移動（平行移動）する。
【００５７】
そして、さらに移動物５が所定距離移動すると、第一の被誘導部５１１が第一の誘導部４１の急傾部４１２に係合しようとする。このとき、移動物５の連結部材５３がベース部材４に設けられた接触部４３に接触する。具体的には、連結部材５３の右側面下方に接触部４３が接触する（図８、図９、および図１４等参照。以下この連結部材５３と接触部４３が接触した状態にある移動物５（連結部材５３）の位置を「接触位置」と称する）。連結部材５３は、その接触部４３に接触する位置よりも上方である右隅（鋭角に形成された頂部近傍；５１ａで示した部分）において、移動部本体５１に回動可能に連結されている（移動部本体５１は、「第一の位置」と「第二の位置」の間を移動しても、接触部４３に接触しないように構成されている）。そのため、連結部材５３の右側面が接触部４３に接触した瞬間から、さらに移動物５が「第二の位置」の方向に移動すると、連結部材５３が移動部本体５１に対して右回り（時計回り）に回動し、接触部４３上を摺動する。すなわち、移動物５が「接触位置」に位置する状態において、連結部材５３は右回りに回動する。このように連結部材５３が右回りに回動すると、移動部本体５１に形成された第一の付勢部材支持部５１６と連結部材５３に形成された第二の付勢部材支持部５３１とによって支持された付勢部材５４が伸びる。つまり、連結部材５３は、付勢部材５４の付勢力に抗して移動部本体５１に対して右回りに回動する（図１０、図１１、図１５、図１７（ａ）、図１８、および図２０（ａ）等参照）。移動物５が「第二の位置」の方向へ移動すればするほど、接触部４３に押されて連結部が右に回動する。
【００５８】
このように連結部材５３が接触部４３に接触している「接触位置」にある状態（区間）での移動物５の動きをまとめると以下の通りである。移動部本体５１に設けられた第一の被誘導部５１１は第一の誘導部４１の急傾部４１２に摺動可能に係合しており、第二の被誘導部５１２は第二の誘導部４２の緩斜部４２３に摺動可能に係合している。第二の被誘導部５１２の緩斜部４２３の方が、第一の誘導部４１の急傾部４１２よりも角度が緩いから、第二の被誘導部５１２の方が先に右側に移動していく。したがって、この区間においては、移動部本体５１に接続された装飾部材５２全体が、段々と左側に起き上がるように（「龍」の顔が段々と起き上がるように）移動物５が移動する。
【００５９】
これに加え、連結部材５３が移動部本体５１に対して右回りに回動する。移動部本体５１には、連繋部材５２１１を介して装飾部本体５２１が連結されている。一方、連結部材５３には開口部５３２が形成されており、その開口部５３２に規制部となる副装飾体５２２の突出部５２２１が係合している。したがって、連結部材５３が回動することによる作用（力）は、突出部５２２１を介して副装飾体５２２に伝達される。具体的には、連結部材５３が右回りに回動すると開口部５３２は右方向に移動する。開口部５３２が右方向に移動すると、開口部５３２の左側面に押されて規制部となる突出部５２２１も右方向に移動する。副装飾体５２２は、装飾部本体５２１に固定された連繋部材５２１１の突起５２１１ａに回動可能に支持されているから、突出部５２２１が右方向に移動すると副装飾体５２２は右回り（装飾部本体５２１から離れる方向）に回動する。この副装飾体５２２の回動は、副装飾体５２２の板状部５２２２が、連繋部材５２１１の維持部５２１１ｂに接触することによって止まる（図２１（ａ）に示す状態から図２１（ｂ）に示す状態となって止まる）。このように、連結部材５３が右回りに回動することにより、副装飾体５２２は、装飾部本体５２１に接触あるいは接触しそうに接近した「第三の状態」（「龍」の口が閉じた状態）から、装飾部本体５２１から所定量離れた「第四の状態」（「龍」の口が開いた状態）まで回動する。
【００６０】
ここで、表示装置２０の表示部２１には、このような装飾部材５２の動きに合わせた映像を表示するとよい。例えば、「龍」の口が開いたと同時にその口から炎が噴出しているような映像を表示部２１に表示するようにサブ制御基板（回路）９５１や表示制御基板（回路）９５２が制御する構成とすればよい。
【００６１】
以上のように、移動物５が「接触位置」にある状態となるまでは、装飾部材５２全体として段々と起き上がるように移動するとともに、副装飾体５２２が「第三の状態」から「第四の状態」に移動する。
【００６２】
このように副装飾体５２２が「第四の状態」となってから、さらに移動物５が「第二の位置」の方向に移動する、すなわち移動物５が「接触位置」から「第二の位置」まで移動する区間においては、装飾部材５２は次のように動作する。なお、副装飾体５２２が「第四の状態」にあるとき（「接触位置」の終点位置）には、第一の被誘導部５１１は第一の誘導部４１の急傾部４１２の途中位置に係合しており、第二の被誘導部５１２は第二の誘導部４２の緩斜部４２３の途中位置に係合している。つまり、副装飾体５２２が「第四の状態」となった状態においては、第一の被誘導部５１１および第二の被誘導部５１２はともに第一の誘導部４１の右端（終端）および第二の誘導部４２の右端（終端）まで移動していない（移動物５が「第二の位置」まで移動したということではない）。すなわち、本実施形態では、副装飾体５２２が「第四の状態」となってから、さらに移動物５が「第二の位置」の方向に移動することで装飾部材５２が以下のように動作する。
【００６３】
移動物５が「接触位置」の終点位置（副装飾体５２２が「第四の状態」となった位置）から「第二の位置」の方向に移動すると、連結部材５３はさらに右方向に回動し、接触部４３上を摺動するとともに付勢部材５４の付勢力に抗する力を強めて変位する。つまり、連結部材５３に設けられた開口部５３２に対して「第一の移動方向」に力が加わる。したがって、連結部材５３に形成された開口部５３２に押された突出部５２２１も、さらに右方向に移動しようとする。しかし、「第四の状態」にある副装飾体５２２は、その板状部５２２２が連繋部材５２１１の維持部５２１１ｂに接触しているから、それ以上回動することができない（維持部５２１１ｂによって副装飾体５２２の回動が阻止された状態にある（図２１（ｂ）等参照））。つまり、突出部５２２１はそれ以上右方向に移動することができない。そうすると、突出部５２２１に対して加わった「第一の移動方向」の力は、突出部５２２１の軸線方向の力として変換されて副装飾体５２２に伝わる。
【００６４】
具体的には次の通りである。「第四の状態」にある副装飾体５２２はそれ以上回動することができないから、開口部５３２から規制部である突出部５２２１に伝わる「第一の移動方向」への力は、突出部５２２１の軸線方向に逃がされようとする。本実施形態では、移動部本体５１の上部に固定された支持軸５１８に装飾部本体５２１が「第二の移動方向」に回動可能に支持されており、この装飾部本体５２１には副装飾体５２２が接続されている。したがって、「第一の移動方向」へそれ以上副装飾体５２２が移動できないとなると、上記「第一の移動方向」への力は、副装飾体５２２を含めた「第一の状態」にある装飾部材５２全体の「第二の移動方向」への力に変換される。すなわち、開口部５３２の左側面上を規制部である突出部５２２１がその軸線方向に摺動する方向に逃がされる。詳しくは、連結部材５３の「第一の移動方向」への移動によって回動していた副装飾体５２２が維持部５２１１ｂによって回動阻止された状態になった後の連結部材５３への「第一の移動方向」への力を利用することで、開口部５３２と根元部分で接触していた突出部５２２１が、徐々にその接触部４３分が先端側に移動するように変位する（図２１（ｃ）等参照）。そのため、この突出部５２２１が設けられた副装飾体５２２および装飾部本体５２１（装飾部材５２全体）は、副装飾体５２２が「第四の状態」である状態を維持したまま表示装置２の表示部２１に近づく「第二の移動方向」に移動することになる（図１２、図１３、図１６、図１７（ｂ）、図１９、および図２０（ｂ）等参照）。本実施形態では、「龍」の顔全体が、口を拡げた状態のまま、表示画面の表示部２１に近づく方向に移動する。
【００６５】
ここで、表装置の表示部２１には、このような装飾部材５２の動きに合わせた映像を表示するとよい。例えば、「龍」の口が開いたと同時にその口から炎が噴出しているような映像を表示部２１に表示しておき、「龍」の顔全体が表示画面の表示部２１に近づく方向に移動するのに合わせて、表示部２１に表示される炎の形状を奥行きのある形状（表示部２１の奥に向かって炎が噴出されているような印象を与える映像）に変更するようにサブ制御基板（回路）９５１や表示制御基板（回路）９５２が制御する構成とすればよい。
【００６６】
第一の被誘導部５１１および第二の被誘導部５１２が、第一の誘導部４１の右端（終点）および第二の誘導部４２の右端（終点）まで移動する、すなわち移動物５全体が「第二の位置」まで移動すると、移動物５がそれ以上動くことができなくなるから、これをもって装飾部材５２の「第二の移動方向」への移動が止まる。つまり、装飾部材５２が「第二の状態」となる（装飾部材５２の「第一の状態」から「第二の状態」までの変位が完了する）。
【００６７】
このように、本実施形態にかかる遊技機１の駆動装置３では、連結部材５３が接触部４３に接触することにより、副装飾体５２２が「第三の状態」から「第四の状態」に回動（変位）する。つまり、「龍」の口が閉じた状態から開いた状態まで変位する。そして、さらに移動物５全体を「第一の移動方向」に移動させると、副装飾体５２２はそれ以上回動（変位）することができないから、突出部５２２１の軸線方向の力として副装飾体５２２に伝達される。「第二の移動方向」の動作に関しては装飾部本体５２１と副装飾体５２２が一体的に動作するから、装飾部材５２全体が「第二の移動方向」に変位する。このように、本実施形態にかかる遊技機１の駆動装置３は、連結部材５３が接触部４３に接触することによって生ずる表示部２１の表示面方向の力を、最初はそのまま表示面方向における副装飾体５２２の変位として出力させた後、副装飾体５２２が「第四の状態」となったとき当該表示面方向における副装飾体５２２の変位がそれ以上不可能となることを巧みに利用して、表示面に対して直交する方向における装飾部材５２の変位（表示面に近づく方向の装飾部材５２の変位）として出力させる構造を備える。
【００６８】
「第二の位置」まで移動させた移動物５を原位置に戻す（「第一の位置」に向けて移動させる）際には、移動物５を「第一の位置」から「第二の位置」に移動させた場合の回転方向と逆に駆動手段６であるモータを回転させればよい。
【００６９】
かかる方向にモータを回転させると、規制部である突出部５２２１が開口部５３２の左側面に押されていた状態が解消され、付勢部材５４の付勢力によって連結部材５３が左回り（反時計回り）に回動する。つまり、突出部５２２１に作用していた「第二の移動方向」への力が消滅するから、装飾部材５２が「第二の状態」から「第一の状態」まで変位する。
【００７０】
さらにモータを回転させ、移動物５を「第二の位置」の方向に移動させると、連結部材５３が接触部４３に押されていた状態が解消されるから、付勢部材５４の付勢力によって連結部材５３がさらに左回りに回動する。連結部材５３に形成された開口部５３２には副装飾体５２２に設けられた突出部５２２１が挿入された状態にあるから、「第四の状態」にある副装飾体５２２が装飾部本体５２１に近づく方向に回動する。連結部材５３と接触部４３の接触した状態が完全に解消されると、副装飾体５２２は装飾部本体５２１に接触あるいは接触しそうに接近した「第三の状態」となる。
【００７１】
そしてさらにモータを回転させていけば、移動物５に設けられた第一の被誘導部５１１および第二の被誘導部５１２が、それぞれ、ベース部材４に形成された第一の誘導部４１および第二の誘導部４２に誘導されて移動物５が「第一の位置」まで戻る。かかる経路における移動物５（装飾部材５２）の動きは、移動物５を「第一の位置」から「第二の位置」に移動させる場合と逆の動きとなる。
【００７２】
なお、上記実施形態では、装飾部材５２を構成する副装飾体５２２に規制部である突出部５２２１が、連結部材５３にその規制部に作用する開口部５３２が形成されていることを説明したが、副装飾体５２２に開口部５３２が形成され、連結部材５３にその開口部５３２に作用する突出部５２２１が形成された構成としてもよい。この場合、副装飾体５２２に形成された開口部５３２が、連結部材５３の移動方向を規制する規制部として機能する。また、このような開口部５３２およびそれに係合する突出部５２２１という形状は例示である。すなわち、副装飾体５２２と連結部材５３が連動する構成になっていれば、これらの部分の形状は適宜変更可能である。
【００７３】
（本実施形態の主な作用効果）
以上説明した本発明にかかる遊技機１によれば、次のような作用効果が奏される。
【００７４】
本実施形態にかかる遊技機１では、移動物５が第一の位置から第二の位置に移動する際に、連結部材５３が接触部４３に接触することで付勢部材５４の付勢力に抗して副装飾体５２２が第三の状態から第四の状態に変位する。そして、この副装飾体５２２が第四の状態にあるところから移動物５がさらに第二の位置に向けて移動することで、装飾部材５２が第一の状態から第二の状態に変位する。このように、簡易な構造で移動物５の複数の動きが可能となり、新たな演出効果が発現される。
【００７５】
また、連結部材５３と接触部４３が接触した状態で連結部材５３に対して第一の位置から第二の位置へ向けた第一の移動方向に力を加えることにより、規制部あるいは連結部材５３の一方が他方に対して第一の方向と異なる第二の方向に摺動する。つまり、第一の移動方向への力を逃がしながら装飾部材５２を第二の移動方向に移動させて第二の状態に変位させることができるため、複数の動きを行う移動物５を効率よく駆動させることが可能となる。
【００７６】
また、副装飾体５２２あるいは連結部材５３の一方に突出部５２２１を形成し、他方に突出部５２２１が挿入可能な開口部５３２を形成し、開口部５３２に突出部５２２１が挿入された状態とすることで副装飾体５２２と連結部材５３が連結するように構成されているため、副装飾体５２２（装飾部材５２）と連結部材５３を確実に連動させることが可能となる。
【００７７】
また、移動物５が接触位置から第二の位置に移動する際に、副装飾体５２２に設けられた突出部５２２１あるいは開口部５３２の一方が規制部となることで、連結部材５３に対して第一の位置から第二の位置へ向けた第一の移動方向に力が加わっても規制部が連結部材５３に設けられた突出部５２２１あるいは開口部５３２の他方に対して第一の移動方向と異なる第二の移動方向に摺動することより第一の移動方向への力を逃がしながら装飾部材５２を第二の状態に変位させる構成であるから、より簡易な構造で移動物５を構成することが可能となる。
【００７８】
また、装飾部本体５２１に、副装飾体５２２が第四の状態になってから移動物５が第二の位置に向けて移動することで連結部材５３がさらに変位しても第四の状態からの変位を維持する維持部５２１１ｂが設けられているから、副装飾体５２２を確実に第四の状態に維持することが可能となる。
【００７９】
また、規制部は、維持部５２１１ｂによって第四の状態を維持している副装飾体５２２の一部によって構成されるから、さらに簡易な構造で移動物５を構成することができる。
【００８０】
また、移動物５は表示部２１の表示面に対して平行に移動するように構成される一方、装飾部材５２の第一の状態と第二の状態の変位方向は表示面に対して直角方向である。つまり、移動物５の駆動方向と異なる方向に装飾部材５２が駆動するので、単純な駆動（演出）にならないようにすること（優れた演出効果を発現する駆動装置３とすること）ができる。
【００８１】
また、装飾部材５２は移動部本体５１に回動可能に軸支されると共に、副装飾体５２２は装飾部本体５２１に回動可能に軸支され、装飾部材５２は副装飾体５２２と連結部材５３が連結することで第一の状態となるように付勢部材５４の付勢の作用が掛かるように構成されている。そのため、少ない部材で複数の部材の付勢を行うことが可能であり、より簡易な構造で駆動装置３を構成することが可能となる。
【００８２】
以上、本発明の実施の形態について詳細に説明したが、本発明は上記実施の形態に何ら限定されるものではなく、本発明の要旨を逸脱しない範囲で種々の改変が可能である。
【符号の説明】
【００８３】
１          遊技機
２          表示装置
２１        表示部
３          駆動装置
４          ベース部材
５          移動物
５１        移動部本体
５２        装飾部材
５２１      装飾部本体
５２１１ｂ  維持部
５２２      副装飾体
５２２１    突出部
５３        連結部材
５３２      開口部
５４        付勢部材
６          駆動手段
【図１】
0005181046.tif 000002
【図２】
0005181046.tif 000003
【図３】
0005181046.tif 000004
【図４】
0005181046.tif 000005
【図５】
0005181046.tif 000006
【図６】
0005181046.tif 000007
【図７】
0005181046.tif 000008
【図８】
0005181046.tif 000009
【図９】
0005181046.tif 000010
【図１０】
0005181046.tif 000011
【図１１】
0005181046.tif 000012
【図１２】
0005181046.tif 000013
【図１３】
0005181046.tif 000014
【図１４】
0005181046.tif 000015
【図１５】
0005181046.tif 000016
【図１６】
0005181046.tif 000017
【図１７】
0005181046.tif 000018
【図１８】
0005181046.tif 000019
【図１９】
0005181046.tif 000020
【図２０】
0005181046.tif 000021
【図２１】
0005181046.tif 000022